(57)【要約】【課題】簡単な構造で給排気の切り換えや加湿効率の向上を可能にする加湿装置を提供する。【解決手段】回転式素子１と、吸引した室外空気を室外に導く第１の通路５と、第１の送風手段７と、吸引した室内空気を室内に導く第２の通路６と、正転と逆転との切り換えが可能な第２の送風手段８と、開口を開閉する開閉手段１０と、加熱手段９とを備え、回転式素子１は、吸着部２と加湿部３とに区画され、開閉手段１０で開口を閉じた状態において、吸着部２で第１の通路５からの室外空気の水分が吸着され、加湿部３で加熱手段９で加熱された室外空気に水分を放出し、開閉手段１０で開口を開いた状態において、第２の送風手段８の正転と逆転との切り換えにより、室外空気の室内への給気と、室内空気と室外への排気との切り換えが可能なことを特徴とする。【選択図】　図１
2004020058.tif 000002
【特許請求の範囲】
【請求項１】
水分の吸着と放出とが可能な回転式素子と、吸引した室外空気を、前記回転式素子を介して室外に導く第１の通路と、前記室外空気の吸引を行う第１の送風手段と、吸引した室内空気を、前記回転式素子を介して室内に導く第２の通路と、前記室内空気の吸引を行い、正転と逆転との切り換えが可能な第２の送風手段と、前記第２の通路に設けられ開口を開閉する開閉手段と、前記第２の通路に設けられた加熱手段とを備え、
前記回転式素子は、前記第１の通路に対応する吸着部と、前記第２の通路に対応する加湿部とに区画され、
前記開閉手段で前記開口を閉じた状態において、前記吸着部で前記第１の通路からの室外空気の水分が吸着され、前記加湿部で前記加熱手段で加熱された室外空気に水分を放出し、
前記開閉手段で前記開口を開いた状態において、前記第２の送風手段の正転と逆転との切り換えにより、室外空気の室内への給気と、室内空気と室外への排気との切り換えが可能なことを特徴とする加湿装置。
【請求項２】
前記第２の通路は、前記回転式素子を通過した室内空気を再び前記回転式素子に供給する中間通路をさらに備え、前記加熱手段は前記中間通路に設けられており、
前記回転式素子は、前記第１の通路に対応する吸着部と、前記第２の通路のうち、室内空気を最初に前記回転式素子に供給する部分に対応する熱回収部と、前記中間通路のうち、前記加熱手段で加熱した前記室内空気を再び前記回転式素子に供給する部分に対応する加湿部とに区画されている請求項１に記載の加湿装置。
【請求項３】
前記開閉手段で前記開口を開いた状態において、前記第２の送風手段の正転により、室外空気を前記開口から前記第２の通路に吸引し、前記第２の通路を通過させて室内に排気する設定と、前記第２の送風手段の逆転により、前記室内空気を前記第２の通路に吸引し、前記開口から室外に排気する設定との切り換えが可能である請求項１又は２に記載の加湿装置。
【請求項４】
水分の吸着と放出とが可能な回転式素子と、吸引した室外空気を、前記回転式素子を介して室外に導く第１の通路と、吸引した室内空気を、前記回転式素子を介して室内に導く第２の通路と、前記第２の通路に設けられた加熱手段とを備え、
前記回転式素子は、前記第１の通路に対応する吸着部と、前記第２の通路に対応する加湿部とに区画され、前記吸着部で前記吸引した室外空気の水分が吸着され、前記加湿部で前記加熱手段で加熱された室内空気に水分が放出され、
前記第１の通路、及び第２の通路のいずれかに、前記回転式素子に空気を供給する側、及び前記回転式素子を通過した空気を排気する側の双方に送風手段が設けられていることを特徴とする加湿装置。
【請求項５】
前記第１の通路のうち、前記回転式素子に空気を供給する側に第１の送風手段を、前記回転式素子を通過した空気を排気する側に第２の送風手段を設けており、前記第１の通路に設けられ開口を開閉する開閉手段をさらに備え、
前記開閉手段で前記開口を開いた状態において、
前記第１の送風機を運転し、かつ前記第２の送風機を停止した状態で、前記第１の通路に室外空気を吸引し、前記開口を介して前記吸引された室外空気を室内に排気する設定と、
前記第２の送風機を運転し、かつ前記第１の送風機を停止した状態で、前記開口から室内空気を前記第１の通路に吸引し、前記吸引された室内空気を室外に排気する設定との切り換えが可能である請求項４に記載の加湿装置。
【請求項６】
前記第１の通路のうち、前記回転式素子に空気を供給する側に第１の送風手段を、前記回転式素子を通過した空気を排気する側に第２の送風手段を設けており、前記第１の通路に設けられ開口を開閉する開閉手段をさらに備え、前記第１の送風手段及び前記第２の送風手段は、正転と逆転との切り換えが可能であり、
前記開閉手段で前記開口を開いた状態において、
前記第１の送風機を正転し、かつ前記第２の送風機を逆転した状態で、室内空気を前記第１の通路に吸引し、前記吸引された室外空気を前記開口から室内に排気する設定と、
前記第１の送風機を逆転し、かつ前記第２の送風機を正転した状態で、前記開口から室内空気を前記第１の通路に吸引し、前記吸引された室内空気を室外に排気する設定との切り換えが可能である請求項４に記載の加湿装置。
【請求項７】
前記第２の通路のうち、前記回転式素子に空気を供給する側に第１の送風手段を、前記回転式素子を通過した空気を排気する側に第２の送風手段を設けており、前記第２の通路に設けられ開口を開閉する開閉手段をさらに備え、
前記開閉手段で前記開口を開いた状態において、
前記第１の送風機を運転し、かつ前記第２の送風機を停止した状態で、前記第２の通路に室内空気を吸引し、前記開口を介して前記吸引された室内空気を室外に排気する設定と、
前記第１の送風機を停止し、かつ前記第２の送風機を運転した状態で、前記開口から室外空気を前記第２の通路に吸引し、前記吸引された室外空気を室内に排気する設定との切り換えが可能である請求項４に記載の加湿装置。
【請求項８】
前記第２の通路は、前記回転式素子を通過した室内空気を再び前記回転式素子に供給する中間通路をさらに備え、前記加熱手段は前記中間通路に設けられており、
前記回転式素子は、前記第１の通路に対応する吸着部と、前記第２の通路のうち、室内空気を最初に前記回転式素子に供給する部分に対応する熱回収部と、前記中間通路のうち、前記加熱手段で加熱した前記室内空気を再び前記回転式素子に供給する部分に対応する加湿部とに区画されている請求項４に記載の加湿装置。
【請求項９】
前記第１の通路のうち、前記回転式素子に空気を供給する側に第１の送風手段を、前記回転式素子を通過した空気を排気する側に第２の送風手段を設けており、前記第１の通路に設けられ開口を開閉する開閉手段と、前記第１の通路と前記中間通路との間の流通を可能にする第３の通路とをさらに備え、
前記開閉手段で前記開口を開いた状態において、
前記第１の送風機を運転し、かつ前記第２の送風機を停止した状態で、前記第１の通路に吸引した室外空気を、前記開口、及び前記第３の通路を介して前記中間通路に供給し、前記中間通路で分流された室外空気を前記熱回収部、及び前記加湿部を通過させて室内に排気する設定と、
前記第１の送風機を停止し、かつ前記第２の送風機を運転した状態で、前記中間通路から吸引した室内空気を、前記第３の通路、及び前記開口を通過させた後、前記第１の排気通路から室外に排気する設定との切り換えが可能である請求項８に記載の加湿装置。
【請求項１０】
前記第１の通路のうち、前記回転式素子に空気を供給する側に第１の送風手段を、前記回転式素子を通過した空気を排気する側に第２の送風手段を設けており、前記第１の送風機、及び前記第２の送風手段は正転と逆転との切り換えが可能であり、前記第１の通路に設けられ開口を開閉する開閉手段と、前記第１の通路と前記中間通路との間の流通を可能にする第３の通路とをさらに備え、
前記開閉手段で前記開口を開いた状態において、
前記第１の送風機を正転し、前記第２の送風機を逆転した状態で、前記第１の通路に吸引した室外空気を、前記開口、及び前記第３の通路を介して前記中間通路に供給し、前記中間通路で分流された室外空気を前記熱回収部、及び前記加湿部を通過させて室内に排気する設定と、
前記第１の送風機を逆転し、前記第２の送風機を正転した状態で、前記第２の通路から吸引した室内空気を、前記第３の通路、及び前記開口を通過させた後、前記第１の通路から室外に排気する設定との切り換えが可能である請求項８に記載の加湿装置。
【請求項１１】
前記第２の通路のうち、前記熱回収部に空気を供給する側に第１の送風手段を、前記加湿部を通過した空気を排気する側に第２の送風手段を設けており、前記第２の通路に設けられ開口を開閉する開閉手段をさらに備え、
前記開閉手段で前記開口を開いた状態において、
前記第１の送風機を運転し、かつ前記第２の送風機を停止した状態で、前記第１の通路に吸引した室内空気を、前記開口から室外に排気する設定と、
前記第１の送風機を停止し、かつ前記第２の送風機を運転した状態で、前記中間通路から吸引した室外空気を、前記から室外空気を吸引し、前記加熱手段を通過させ加熱した後、前記第２の排気通路から室内外に排気する設定との切り換えが可能である請求項７に記載の加湿装置。
【請求項１２】
前記第２の通路のうち、前記回熱回収部に空気を供給する側に第１の送風手段を、前記加湿部を通過した空気を排気する側に第２の送風手段を設けており、前記第１の送風機、及び前記第２の送風手段は正転と逆転との切り換えが可能であり、前記第２の通路に設けられ開口を開閉する開閉手段をさらに備え、
前記開閉手段で前記開口を開いた状態において、
前記第１の送風機を正転し、かつ前記第２の送風機を逆転した状態で、前記第２の通路に吸引した室内空気を、前記開口から室外に排気する設定と、
前記第１の送風機を逆転し、かつ前記第２の送風機を正転した状態で、前記開口から吸引した室外空気を、室内に排気する設定との切り換えが可能である請求項８に記載の加湿装置。
【請求項１３】
前記加熱手段は、前記第２の通路のうち、吸引した室外空気を加熱できる位置に配置されている請求項１、２、３、７、９、１０、１１、又は１２に記載の加湿装置。
【発明の詳細な説明】
【０００１】
【発明の属する技術分野】
本発明は、水分の吸着と放出とが可能な回転式素子を用いた加湿装置に関し、特に空気調和機と併用される換気可能な加湿装置に関する。
【０００２】
【従来の技術】
従来の換気加湿装置として、例えば特開２００１−５０５５９号公報に提案されているものがあり、図１９（ａ）にその概略構成図を示している。本図に示した加湿装置は、除湿時には、回転式吸湿ロータ１１０で水分を吸着され乾燥した室内空気が、吸湿通路１１１、通路切換ダンパ１１２（実線）を経て、室内空気吹出口１１３から室内Ｒ２に放出される。一方、回転式吸湿ロータ１１２から水分を与えられた高湿の室内空気は、再生通路１１４、通路切換ダンパ１１２（実線）を経て、室外空気吹出口１１５から室外Ｒ１に放出される。
【０００３】
また、加湿時には、除湿通路１１１内の乾燥した室内空気は、通路切換ダンパ１１２（細線）を経て室外空気吹出口１１５から室外に放出される。一方、再生通路１１４内の高湿空気は、通路切換ダンパ１１２（細線）を経て、室内空気吹出口１１３から室内Ｒ２に放出される。この構成によれば、除湿時、加湿時ともに、室内Ｒ２から室外Ｒ１に向かう送風路が形成されており、これを利用して排気換気が可能である。
【０００４】
図１９（ｂ）には、特開平１１−２４１８３８号公報に提案されている加湿装置の概略構成図を示している。ケース２００内には、吸引した室外空気Ａを、回転式素子２０１の吸着部２０２を経て室外Ｒ１へ排気させる通路２０５が配設されている。ファン２１０の送風作用により、室外空気Ａは通路２０５内に吸引され、回転式素子２０１の吸着部２０２において、水分が吸着され乾燥した後、室外Ｒ１へ排気される。
【０００５】
また、ケース２００内には、吸引した室内空気Ｃを回転式素子２０１の加湿部２０３を経て室内Ｒ２へ排気させる通路２０６が配設されている。ファン２２０の送風作用により、室内空気Ｃは通路２０６内に吸引され、ヒータ２０７７で加熱され、回転式素子２０１の加湿部２０３に至る。加湿部２０３において、高温空気Ｅに水分が与えられ、加湿処理された湿潤空気Ｆが室内に排気され、室内が加湿されることになる。
【０００６】
【発明が解決しようとする課題】
しかしながら、前記のような従来の構成では、以下のような問題があった。
（１）図１９（ａ）に示した従来例は、換気機能のうち排気換気機能のみを備えているに止まっている。ここで、一般に、換気しようとする部屋の空気が、周囲の他の部屋の空気に比べて汚れていれば、汚れた空気を室外に排出する排気換気が適している。この場合に、外気を取り込む給気換気をすれば、汚れた空気を周囲の他の部屋に押し込んでしまうことになる。
【０００７】
逆に、換気しようとする部屋の空気より、周囲の他の部屋の空気がさらに汚れていれば、外気を取り込む給気換気が適している。この場合に、汚れた空気を外気に排出する排気換気外気を行えば、汚れた空気を周囲の他の部屋から吸い込んでしまうことになる。
【０００８】
このようなことから、状況に応じ排気換気と給気換気を使い分けられることが望ましいが、このような流路切り換えは、送風回路を複雑にし、切り換えダンパも特殊構造のものが必要となり、かつ複数個のダンパを要するといった問題があった。
（２）図１９（ｂ）に示した従来例では、室外空気用の通路２０５は、壁Ｗを通過させるため、配管の管径を細くする必要がある。管径を細くすると、室外空気の吸引、及び室外空気の排気に大きな圧力が必要となり、送風機２１０の後方はかなりの高圧となる。一方、室内空気用の通路２０６は、壁を通過させる必要はなく、通風抵抗は、通路２０６と比べ高圧にはならない。
【０００９】
このため、通路２０５と通路２０６との間に圧力差が生じ、回転式素子２０１上において、吸着部分２０２を通過すべき通路２０５からの空気が、加湿部分２０３に流動し、室外空気が室内に漏れる場合があり、この場合は加湿効率が低下することになる。
【００１０】
本発明は、前記のような従来の問題を解決するものであり、簡単な構造で給排気の切り換えや加湿効率の向上を可能にする加湿装置を提供することを目的とする。
【００１１】
【課題を解決するための手段】
前記目的を達成するために、本発明の第１の加湿装置は、水分の吸着と放出とが可能な回転式素子と、吸引した室外空気を、前記回転式素子を介して室外に導く第１の通路と、前記室外空気の吸引を行う第１の送風手段と、吸引した室内空気を、前記回転式素子を介して室内に導く第２の通路と、前記室内空気の吸引を行い、正転と逆転との切り換えが可能な第２の送風手段と、前記第２の通路に設けられ開口を開閉する開閉手段と、前記第２の通路に設けられた加熱手段とを備え、
前記回転式素子は、前記第１の通路に対応する吸着部と、前記第２の通路に対応する加湿部とに区画され、
前記開閉手段で前記開口を閉じた状態において、前記吸着部で前記第１の通路からの室外空気の水分が吸着され、前記加湿部で前記加熱手段で加熱された室外空気に水分を放出し、
前記開閉手段で前記開口を開いた状態において、前記第２の送風手段の正転と逆転との切り換えにより、室外空気の室内への給気と、室内空気と室外への排気との切り換えが可能なことを特徴とする。
【００１２】
次に、本発明の第２の加湿装置は、水分の吸着と放出とが可能な回転式素子と、吸引した室外空気を、前記回転式素子を介して室外に導く第１の通路と、吸引した室内空気を、前記回転式素子を介して室内に導く第２の通路と、前記第２の通路に設けられた加熱手段とを備え、
前記回転式素子は、前記第１の通路に対応する吸着部と、前記第２の通路に対応する加湿部とに区画され、前記吸着部で前記吸引した室外空気の水分が吸着され、前記加湿部で前記加熱手段で加熱された室内空気に水分が放出され、
前記第１の通路、及び第２の通路のいずれかに、前記回転式素子に空気を供給する側、及び前記回転式素子を通過した空気を排気する側の双方に送風手段が設けられていることを特徴とする。
【００１３】
【発明の実施の形態】
本発明は、回転式素子の加湿部に対応する通路に、開閉手段と正転と逆転との切り換えができる送風手段を備えたことにより、新たな送風回路を追加することなく、容易に給気換気と排気換気との切り換えが可能になる。
【００１４】
本発明においては、前記第２の通路は、前記回転式素子を通過した室内空気を再び前記回転式素子に供給する中間通路をさらに備え、前記加熱手段は前記中間通路に設けられており、
前記回転式素子は、前記第１の通路に対応する吸着部と、前記第２の通路のうち、室内空気を最初に前記回転式素子に供給する部分に対応する熱回収部と、前記中間通路のうち、前記加熱手段で加熱した前記室内空気を再び前記回転式素子に供給する部分に対応する加湿部とに区画されていることが好ましい。回転式素子に、熱回収部を設けたことにより、吸着部には熱回収部において事前に冷却された部分が回転移動してくるので、吸着部を通過する空気の水分の吸着能力を高めることができる。
【００１５】
また、前記開閉手段で前記開口を開いた状態において、前記第２の送風手段の正転により、室外空気を前記開口から前記第２の通路に吸引し、前記第２の通路を通過させて室内に排気する設定と、前記第２の送風手段の逆転により、前記室内空気を前記第２の通路に吸引し、前記開口から室外に排気する設定との切り換えが可能であることが好ましい。この構成によれば、開閉手段を開放した状態で、第２の送風手段の正転と逆転とを切り換えることで、容易に給気換気と排気換気との切り換えが可能になる。
【００１６】
本発明の別の構成によれば、加湿部に対応する通路及び吸着部に対応する通路のいずれかに、回転式素子に空気を供給する側、及び回転式素子を通過した空気を排気する側の双方に送風手段を設けたことにより、回転式素子上における吸着部と加湿部との間で圧力差による空気の漏れを減少でき、高効率な加湿装置が得られる。
【００１７】
この構成においては、前記第１の通路のうち、前記回転式素子に空気を供給する側に第１の送風手段を、前記回転式素子を通過した空気を排気する側に第２の送風手段を設けており、前記第１の通路に設けられ開口を開閉する開閉手段をさらに備え、
前記開閉手段で前記開口を開いた状態において、
前記第１の送風機を運転し、かつ前記第２の送風機を停止した状態で、前記第１の通路に室外空気を吸引し、前記開口を介して前記吸引された室外空気を室内に排気する設定と、
前記第２の送風機を運転し、かつ前記第１の送風機を停止した状態で、前記開口から室内空気を前記第１の通路に吸引し、前記吸引された室内空気を室外に排気する設定との切り換えが可能であることが好ましい。この構成によれば、回転式素子の吸着部に対応する通路に、開閉手段を備えたことにより、新たな送風回路を追加することなく、容易に給気換気と排気換気との切り換えが可能になる。
【００１８】
また、前記第１の通路のうち、前記回転式素子に空気を供給する側に第１の送風手段を、前記回転式素子を通過した空気を排気する側に第２の送風手段を設けており、前記第１の通路に設けられ開口を開閉する開閉手段をさらに備え、前記第１の送風手段及び前記第２の送風手段は、正転と逆転との切り換えが可能であり、
前記開閉手段で前記開口を開いた状態において、
前記第１の送風機を正転し、かつ前記第２の送風機を逆転した状態で、室内空気を前記第１の通路に吸引し、前記吸引された室外空気を前記開口から室内に排気する設定と、
前記第１の送風機を逆転し、かつ前記第２の送風機を正転した状態で、前記開口から室内空気を前記第１の通路に吸引し、前記吸引された室内空気を室外に排気する設定との切り換えが可能であることが好ましい。この構成によれば、複数の送風機を運転して給排気を行うので、給排気換気能力の向上に有利である。
【００１９】
また、前記第２の通路のうち、前記回転式素子に空気を供給する側に第１の送風手段を、前記回転式素子を通過した空気を排気する側に第２の送風手段を設けており、前記第２の通路に設けられ開口を開閉する開閉手段をさらに備え、
前記開閉手段で前記開口を開いた状態において、
前記第１の送風機を運転し、かつ前記第２の送風機を停止した状態で、前記第２の通路に室内空気を吸引し、前記開口を介して前記吸引された室内空気を室外に排気する設定と、
前記第１の送風機を停止し、かつ前記第２の送風機を運転した状態で、前記開口から室外空気を前記第２の通路に吸引し、前記吸引された室外空気を室内に排気する設定との切り換えが可能であることが好ましい。この構成によれば、回転式素子の加湿部に対応する通路に、開閉手段を備えたことにより、新たな送風回路を追加することなく、容易に給気換気と排気換気との切り換えが可能になる。
【００２０】
また、前記第２の通路は、前記回転式素子を通過した室内空気を再び前記回転式素子に供給する中間通路をさらに備え、前記加熱手段は前記中間通路に設けられており、
前記回転式素子は、前記第１の通路に対応する吸着部と、前記第２の通路のうち、室内空気を最初に前記回転式素子に供給する部分に対応する熱回収部と、前記中間通路のうち、前記加熱手段で加熱した前記室内空気を再び前記回転式素子に供給する部分に対応する加湿部とに区画されていることが好ましい。回転式素子に、熱回収部を設けたことにより、吸着部には熱回収部において事前に冷却された部分が回転移動してくるので、吸着部を通過する空気の水分の吸着能力を高めることができる。
【００２１】
また、前記第１の通路のうち、前記回転式素子に空気を供給する側に第１の送風手段を、前記回転式素子を通過した空気を排気する側に第２の送風手段を設けており、前記第１の通路に設けられ開口を開閉する開閉手段と、前記第１の通路と前記中間通路との間の流通を可能にする第３の通路とをさらに備え、
前記開閉手段で前記開口を開いた状態において、
前記第１の送風機を運転し、かつ前記第２の送風機を停止した状態で、前記第１の通路に吸引した室外空気を、前記開口、及び前記第３の通路を介して前記中間通路に供給し、前記中間通路で分流された室外空気を前記熱回収部、及び前記加湿部を通過させて室内に排気する設定と、
前記第１の送風機を停止し、かつ前記第２の送風機を運転した状態で、前記中間通路から吸引した室内空気を、前記第３の通路、及び前記開口を通過させた後、前記第１の排気通路から室外に排気する設定との切り換えが可能であることが好ましい。この構成によれば、容易に給気換気と排気換気との切り換えができる。
【００２２】
また、前記第１の通路のうち、前記回転式素子に空気を供給する側に第１の送風手段を、前記回転式素子を通過した空気を排気する側に第２の送風手段を設けており、前記第１の送風機、及び前記第２の送風手段は正転と逆転との切り換えが可能であり、前記第１の通路に設けられ開口を開閉する開閉手段と、前記第１の通路と前記中間通路との間の流通を可能にする第３の通路とをさらに備え、
前記開閉手段で前記開口を開いた状態において、
前記第１の送風機を正転し、前記第２の送風機を逆転した状態で、前記第１の通路に吸引した室外空気を、前記開口、及び前記第３の通路を介して前記中間通路に供給し、前記中間通路で分流された室外空気を前記熱回収部、及び前記加湿部を通過させて室内に排気する設定と、
前記第１の送風機を逆転し、前記第２の送風機を正転した状態で、前記第２の通路から吸引した室内空気を、前記第３の通路、及び前記開口を通過させた後、前記第１の通路から室外に排気する設定との切り換えが可能であることが好ましい。この構成によれば、複数の送風機を運転して給排気を行うので、給排気換気能力の向上に有利である。
【００２３】
また、前記第２の通路のうち、前記熱回収部に空気を供給する側に第１の送風手段を、前記加湿部を通過した空気を排気する側に第２の送風手段を設けており、前記第２の通路に設けられ開口を開閉する開閉手段をさらに備え、
前記開閉手段で前記開口を開いた状態において、
前記第１の送風機を運転し、かつ前記第２の送風機を停止した状態で、前記第１の通路に吸引した室内空気を、前記開口から室外に排気する設定と、
前記第１の送風機を停止し、かつ前記第２の送風機を運転した状態で、前記中間通路から吸引した室外空気を、前記から室外空気を吸引し、前記加熱手段を通過させ加熱した後、前記第２の排気通路から室内外に排気する設定との切り換えが可能であることが好ましい。この構成によれば、容易に給気換気と排気換気との切り換えができる。
【００２４】
また、前記第２の通路のうち、前記回熱回収部に空気を供給する側に第１の送風手段を、前記加湿部を通過した空気を排気する側に第２の送風手段を設けており、前記第１の送風機、及び前記第２の送風手段は正転と逆転との切り換えが可能であり、前記第２の通路に設けられ開口を開閉する開閉手段をさらに備え、
前記開閉手段で前記開口を開いた状態において、
前記第１の送風機を正転し、かつ前記第２の送風機を逆転した状態で、前記第２の通路に吸引した室内空気を、前記開口から室外に排気する設定と、
前記第１の送風機を逆転し、かつ前記第２の送風機を正転した状態で、前記開口から吸引した室外空気を、室内に排気する設定との切り換えが可能であることが好ましい。この構成によれば、複数の送風機を運転して給排気を行うので、給排気換気能力の向上に有利である。
【００２５】
また、前記加熱手段は、前記第２の通路のうち、吸引した室外空気を加熱できる位置に配置されていることが好ましい。この構成によれば、外気が低温の場合における通路外壁の結露を防止できる。また、冷たい室外空気を室内に入れることなく給気を行うことができる。
【００２６】
以下、本発明の一実施形態について図面を参照しながら説明する。
【００２７】
（実施の形態１）
図１は、実施形態１に係る加湿装置の概略構成図を示している。１０１は加湿対象となる部屋を有する建物であり、加湿装置１００は室外に設置されている。加湿装置１００のケース１００ａ内には、回転式素子１が組み込まれている。
【００２８】
回転式素子１は、例えばシリカゲルにコバルト、鉄、マンガンなどの複数の金属を組み合わせた金属ケイ酸塩ゲルをセラミックスのハニカム積層体内に重合反応させ、かつ、水分子に適合するようにマイクロポア形状を微調整すると共に、マイクロポア内に水酸基を多く定着させて親水性を増大させたものである。
【００２９】
このような回転式素子１によれば、室温では水分を吸着でき、１３０〜１４０℃の高温では、吸着した水分を脱離して放出させることができる。回転式素子１は円筒形状であり、その大きさは例えば直径２００〜３００ｍｍ、厚さ３０ｍｍであり、０．５〜５ｒｐｍで回転するように制御される。
【００３０】
回転式素子１の、水分の吸着及び放出ができる性質を利用して、回転式素子１は、吸着部２と加湿部３とに区画されて使用される。吸着部２は、空気から水分を吸着する部分である。装置外から取り込まれた低温空気は、吸着部分２を通過すると、その空気に含まれる水分は、吸着部２に吸着されて取り除かれる。
【００３１】
加湿部３は、空気に水分を与える部分である。加湿部３に、加熱処理して温度上昇した空気を通過させると、その空気に水分が与えられ湿潤化を図ることができる。この場合、加湿部３は水分を吸着する機能が回復することになる。吸着部２と加湿部３は、例えば３：１の面積比に区画され、風量比は例えば吸着部２が８０（ｍ３／ｈ）に対して、加湿部３が２０（ｍ３／ｈ）である。
【００３２】
なお、吸着部２と加湿部３の位置は固定されているが、回転式素子１の回転に伴って、吸着部２、加湿部３に対応する回転式素子１の部分が変化する。例えば、図１の状態において、吸着部２と対応している回転式素子１の部分は、矢印Ｘ方向に回転が進行すると、順次、加湿部３に対応する部分に移動し、加湿部３に対応している回転式素子１の部分は、矢印Ｘ方向に回転が進行すると、順次、吸着部２に対応する部分に移動することになる。
【００３３】
ケース１００ａ内には、吸引した室外空気Ａを、回転式素子１の吸着部２を経て室外へ排気させる通路５が配設されている。以下、加湿装置が室内に加湿空気を供給する運転をしている状態において、通路内を空気が始点ａから終点ｂへと進行しているとすると、始点ａ側を上流側といい、終点ｂ側を下流側という。
【００３４】
通路５のうち、回転式素子１に対して上流側に、送風手段であるファン７が設けられている。ファン７の送風作用により、室外空気Ａは通路５内に吸引され、回転式素子１の吸着部２を経て室外へ排気される。この場合、室外空気Ａは、吸着部２において、水分が吸着され乾燥した状態で排気されることになる。
【００３５】
また、ケース１００ａ内には、吸引した室内空気Ｂを回転式素子１の加湿部３を経て室内へ排気させる通路６が配設されている。通路６のうち、回転式素子１に対して下流側に、送風手段である渦流ファン８が設けられている。渦流ファン８が、矢印Ｙで示したように反時計回りに回転すると、その送風作用によって、室内空気Ｂは、通路６内に吸引される。以下、加湿装置の各通路に備えたファンについて、室内に加湿空気を供給している状態のファンの回転を正転といい、この逆の回転を逆転という。
【００３６】
通路６内の空気は、加熱手段であるヒータ９で加熱され、この加熱された高温空気は加湿部３に至る。ヒータ９は、ニクロムヒータやセラミックヒータを用いることができる。加湿部３には、回転式素子１のうち吸着部２において水分を吸着した部分が回転移動してくるので、加湿部３において、高温空気に水分が与えられ、加湿処理された湿潤空気が室内に排気され、室内が加湿されることになる。また、高温空気に水分を与えることにより、回転式素子１は、水分吸着性の回復が図られ、吸着部２に回転移動し、再び水分を吸着することになる。
【００３７】
図２は、給気換気運転時における加湿装置の概略構成図を示している。通路５のうち、ヒータ９に対して上流側には、開閉手段であるダンパ１０が設けられている。ダンパ１０は板状部材の開閉による開閉機構を備えたものである。本図の状態では、ダンパ１０の板状部材が開いており、開口１１を介して、通路６内への空気の吸引、又は通路６からの空気の排気が可能になる。
【００３８】
渦流ファン８が正転すると、開口１１から室外空気Ｃが吸引され、通路６内に室外空気が取り込まれる。この室外空気は、渦流ファン８の送風作用により、ヒータ９、加湿部３、及び渦流ファン８を経て室内に排気され、室内への給気換気が行われる。
【００３９】
また、冬季には室外側の外気は低温である。このため、通路６内を低温空気が流通すると、通路６の外壁に結露することがあるが、ヒータ９に通電して空気温度を上昇させた状態で流通させれば、結露を防ぐことができる。
【００４０】
図３は、排気換気運転時における加湿装置の概略構成図を示している。本図の状態は、ダンパ１０は開放状態であり、かつ渦流ファン８は逆転している。すなわち、渦流ファン８の回転方向（矢印Ｚ方向）は、図２の回転方向（矢印Ｙ方向）に対して反転している。
【００４１】
この状態では、渦流ファン８の送風作用により、室内空気Ｄは通路６内へ吸引され、加湿部３を経て開口１１から排気される。この場合、ヒータ９の通電は不要となる。
【００４２】
なお、本実施形態に係る加湿装置は、ヒートポンプ式空気調和機と併用でき、ヒートポンプ式空気調和機に組み込んで用いてもよい。ヒートポンプ式空気調和機は、室内機と室外機とを備えており、室内機には室内送風機及び室内熱交換器を、室外機には室外送風機及び室外熱交換器をそれぞれ備えており、冷房、暖房、及び除湿等の運転を切り換えることができる。このことは以下の各実施形態についても同様である。
【００４３】
（実施の形態２）
図４は、実施形態２に係る加湿装置の概略構成図を示している。回転式素子１は、吸着部２、加湿部３、及び熱回収部４に区画されて使用される。熱回収部４は、温度の低い空気を通過させて、回転式素子１の温度を下げるとともに、通過空気の温度を高める部分である。
【００４４】
また、本実施形態では、室内空気Ｂが吸引されている場合において、通路６のうち、回転式素子１（熱回収部４）へ最初に室内空気を導く供給通路６ａと、回転式素子１（加湿部３）を通過した室内空気を室内へ排気する排気通路６ｂとの間に、中間通路６ｃが配置されている。ヒータ９は、この中間通路６ｃに設けられている。
【００４５】
熱回収部４には供給通路６ａからの室内空気が取り込まれる。加湿部３は、ヒータ９で加熱された温度の高い空気が通過するので、加湿部３の温度が上昇する。熱回収部４には、室温である室内空気Ｂが取り込まれるので、回転により加湿部３に対応する部分が熱回収部４に移動すると、熱回収部４における回転式素子１は冷却されることになる。この場合、熱回収部４を通過した空気は温度上昇することになる。この構成によれば、吸着部２へは、熱回収部４において事前に冷却された部分が回転移動してくるので、吸着部２を通過する空気の水分の吸着能力を高めることができる。
【００４６】
吸着部２、加湿部３、熱回収部４はこの順に、例えば２：１：１の面積比に区画され、風量比は例えば吸着部２が８０（ｍ３／ｈ）に対して、加湿部３及び熱回収機部４はそれぞれ２０（ｍ３／ｈ）である。
【００４７】
図５は、給気換気運転時における加湿装置の概略構成図を示している。本図の状態では、供給通路６ａに設けられたダンパ１０は開放状態であり、供給通路６ａの開口１１を介して、供給通路６ａ内への空気の吸引が可能になる。
【００４８】
渦流ファン８が正転（矢印Ｙ方向）すると、通路６ａの開口１１から室外空気Ｃが通路６ａ内に吸引される。この室外空気は、渦流ファン８の送風作用により、熱回収部４、ヒータ９、加湿部３を通過した後、渦流ファン８を経て室内に排気され、室内への給気換気が行われる。
【００４９】
また、外気が低温である冬季には、通路の外壁に結露することがあるが、ヒータ９に通電して空気温度を上昇させた状態で流通させれば、結露を防ぐことができる。
【００５０】
図６は、排気換気運転時における加湿装置の概略構成図を示している。本図の状態は、ダンパ１０は開放状態であり、かつ渦流ファン８は逆転している。すなわち、渦流ファン８の回転方向（矢印Ｚ方向）は、図５の回転方向（矢印Ｙ方向）に対して反転している。
【００５１】
この状態では、渦流ファン８の送風作用により、室内空気Ｄは排気通路６ｂ内へ吸引され、加湿部３、ヒータ９、熱回収部４を経て、開口１１から排気される。この場合、ヒータ９の通電は、不要となる。
【００５２】
（実施の形態３）
図７は、実施形態３に係る加湿装置の概略斜視図を示している。以下の各実施形態において、回転素子１の構成は、前記各実施形態と同様であるので、同一番号を付して、その詳細な説明は省略する。
【００５３】
加湿装置１０２は、側壁１０３に対して室内Ｒ２側に据え付けられている。ケース１０２ａ内には、回転式素子１が組み込まれており、室外Ｒ１から吸引した空気を、回転式素子１を経て室外Ｒ１へ排気させる通路１２が配設されている。通路１２は、側壁１０３を開口した吸気口１０４を介して、室外Ｒ１からケース１０２ａ内に至り、側壁１０３を開口した排気口１０５を介して、ケース１０２ａ内から室外Ｒ１に至っている。
【００５４】
通路１２内の空気が、吸気口１０４側から排気口１０５側へと流動している場合において、回転式素子１に対して通路１２の上流側には、第１の送風手段である送風機１３が設けられ、下流側には第２の送風手段である送風機１４が設けられている。送風機１３によって、室外Ｒ１の空気は、吸気口１０４を経てケース１０２ａ内に至り、送風機１４によって、ケース１０２ａ内から排気口１０５を経て室外Ｒ１へと排気される。この場合、室外空気は、回転式素子１の吸着部２を通過して、水分が吸着されて乾燥した状態で、室外Ｒ１へと排気されることになる。
【００５５】
また、ケース１０２ａ内には、室内Ｒ２から吸引した室内空気を、回転式素子１を経て、室内Ｒ２へ排気して戻す通路１５が配設されている。通路１５のうち回転式素子１に対して上流側には、送風機１６が設けられている。送風機１６によって、室内空気はケース１０２ａ内に吸引される。
【００５６】
吸引された室内空気は、加熱手段であるヒータ１７で加熱された後、回転式素子１の加湿部３に至る。ヒータ１７には、例えば入力５００Ｗのニクロムヒータを用い、セラミックヒータを用いてもよい。加熱された高温空気は、加湿部３を通過することにより、回転式素子１が吸着していた水分の分離放出により湿潤化される。これに対して、水分を放出した回転式素子１は、水分吸着性が回復する。このようにして加湿処理された湿潤空気は、室内Ｒ２に排気されるので、室内Ｒ２が加湿されることになる。
【００５７】
ここで、通路１２は側壁１０３の吸気口１０４及び排気口１０５を通過させているので管径が細く、通風抵抗が通路１５に比べ大きくなっている。したがって、通路１２から回転式素子１に流出する空気の圧力は、通路１５から回転式素子１に流出する空気の圧力に比べ大きくなる。
【００５８】
このため、高圧側である通路１２から漏れた空気が、仕切り部（吸着部２と加湿部３との間の）と回転式素子１との間の僅かな隙間を通過して、低圧側である通路１５に流入し易くなり、このような空気の漏れがあると、室内加湿の効率が低下することになる。
【００５９】
本実施形態では、通路１２には、上流側の送風機１３に加え、下流側に送風機１４を設けたことにより、通路１２の送風機と通路１５の送風機との間の負荷のバランスを調整することができ、通路１２と通路１５との間の圧力差を小さくし、通路１２から通路１５への漏れ空気量を減少させることができる。
【００６０】
（実施の形態４）
実施形態４は、図７に示した加湿装置に換気機能を付加した実施形態である。図８は、本実施形態に係る加湿装置の主要部の構成を示しており、図８（ａ）は送風機１３のみを運転した状態、図８（ｂ）は送風機１４のみを運転した状態を示している。これらの各図は、換気機能に直接関係のない構成の図示は省略している。このことは、図９以降の換気機能を説明する図においても同様である。
【００６１】
図８の各図に示したように、通路１のうち送風機１３と吸着部分２との間に、開閉手段であるダンパ１８を設けている。ダンパ１８は、板状部材の開閉により空気流量を調節することができる。図２（ａ）、（ｂ）は、いずれもダンパ８の開放状態を示している。
【００６２】
図８（ａ）のように、送風機１３のみを運転した状態では、室外Ｒ１から通路１２に取り込まれた室外空気Ａは、ダンパ８の開口２２を経て室内Ｒ２に給気される。また、図２（ｂ）のように、送風機１４のみを運転した状態では、室外Ｒ２から室内空気Ｄが、開口２２を経て通路１２に取り込まれ、室外Ｒ１に排気される。
【００６３】
図９は、本実施形態の別の例に係る加湿装置の主要部の構成を示している。本図に示した構成は、送風機１８、送風機１９のそれぞれが正転及び逆転の両方可能である渦流送風機である。
【００６４】
図９（ａ）は、送風機１８及び送風機１９は、室外Ｒ２から室外空気Ａを室内Ｒ２に取り込むように、回転方向が設定されており、送風機１８は正転し、送風機１９は逆転している。この設定では、送風機１８、送風機１９の双方によって、室外空気Ａが室内Ｒ２に取り込まれることになる。
【００６５】
図９（ｂ）は、送風機１８及び送風機１９は、室内Ｒ２から室内空気Ｄを室外Ｒ１に排気するように、回転方向が設定されており、送風機１８は逆転し、送風機１９は正転している。この設定では、送風機１８、送風機１９の双方によって、室内空気Ｄが室外Ｒ１に排気されることになる。このように図９に示した構成では、送風機１８、送風機１９の双方によって、給排気を行うので、給排気換気能力の向上に有利である。
【００６６】
なお、図８、９の例では、ダンパ１８を回転式素子１に対して上流側に設けた例で説明したが、ダンパ１８を回転式素子１に対して下流側である吸着部２と送風機１４（送風機１９）との間に設けても、同様の給排換気ができる。
【００６７】
（実施の形態５）
図１０は、本実施形態に係る加湿装置の概略斜視図を示している。本実施形態では、図１０に示したように、回転式素子１の吸着部２と加湿部３との間に、熱回収部４を設けている。また、通路１５のうち供給通路１５ａと排気通路１５ｂとの間に、中間通路１５ｃが設けられている。
【００６８】
本実施形態の回転式素子１の基本作用は、図４に示した実施形態と同様であるので、その詳細な説明は省略するが、吸着部２へは、熱回収部４において事前に冷却された部分が回転移動してくるので、吸着部２を通過する空気の水分の吸着能力を高めることができる。
【００６９】
本実施形態においても、実施形態３と同様に、回転式素子１に対して上流側に送風機１３、下流側に送風機１４を設けており、通路１２と通路１５との間の圧力差を小さくし、通路１２から通路１５への漏れ空気量の減少を図っている。このことにより、吸着部分２と加湿部分３との仕切り部分において、吸着部２から加湿部３への漏れ空気を減少できるとともに、吸着部２と加湿部３との仕切り部分において、吸着部分２から熱回収部４への漏れ空気も減少でき、高効率な加湿を行うことができる。
【００７０】
（実施の形態６）
実施形態６は、図１６に示した加湿装置に換気機能を付加した実施形態である。図１１は、本実施形態に係る加湿装置の主要部の構成を示しており、図１１（ａ）は送風機１３のみを運転（送風機１４及び１６は停止）した状態、図１１（ｂ）は送風機１４のみを運転（送風機１３及び１６は停止）した状態を示している。これらの各図に示したように、通路１２の回転式素子１と送風機１４との間に、ダンパ１８を設けている。図１１（ａ）、（ｂ）は、いずれもダンパ１８は開放状態である。
【００７１】
本図に示した構成では、通路１２と中間通路１５ｃとをつなぐ通路が設けられており、図１１（ａ）のように、送風機１４のみを運転した状態では、室外Ｒ１から通路１２に取り込まれた室外空気Ａは、開口２２を経て中間通路１５ｃに供給される。この供給空気は、ヒータ１７側に流動する空気と、熱回収部４側に流動する空気とに分流する。
【００７２】
ヒータ１７側に流動した空気は、ヒータ１７により加熱された後、加湿部３を経て室内Ｒ２に給気される。この場合、加湿部３には加熱された空気が通過するので、加湿部３に対応する回転式素子１も加熱されることになる。
【００７３】
一方、熱回収部４側に流動する空気は、熱回収部４を経て室内Ｒ２に給気される。この場合、熱回収部４に回転移動した回転式素子１は、前記のように加湿部３において加熱されている。このため、熱回収部４を通過する空気は温度が上昇し、この状態で室内Ｒ２に給気されることになる。
【００７４】
このような構成によれば、室外空気Ａは温度が高められた状態で、室内Ｒ２に供給されるので、冷たい室外空気Ａを室内Ｒ２に入れることなく給気を行うことができる。
【００７５】
図１１（ｂ）の状態は、送風機１４のみが運転しており室内空気Ｄは、中間通路１５ｃを経て開口２２に至り、通路１２を経て室外Ｒ１に排気されることになる。
【００７６】
図１２は、本実施形態の別の例に係る加湿装置の主要部の構成を示している。本図に示した構成は、送風機２０、送風機２１のそれぞれが正回転及び逆回転の両方可能である渦流送風機である。図１２（ａ）の状態は、送風機２０及び送風機２１は、室外Ｒ１から室外空気Ａを室内Ｒ２に取り込むように、回転方向が設定されており、送風機２０は正転し、送風機２１は逆転し、送風機１６は停止している。
【００７７】
この設定では、送風機２０、送風機２１の双方によって、室外空気Ａが室内Ｒ２に取り込まれることになる。室外空気Ａが通路１２から中間通路１５ｃに至った後の動作は、前記の図１１（ａ）の場合と同様である。
【００７８】
図１２（ｂ）の状態は、送風機２０及び送風機２１の回転方向は、図１２（ａ）の状態と逆方向にされており、送風機２０は逆転し、送風機２１は正転している。このため、送風機２０、送風機２１の双方の送風作用によって、室内空気Ｄが室外Ｒ１に排気されることになる。このように図１２に示した構成では、送風機２０、送風機２１の双方によって、給排気を行うので、給排気換気能力の向上に有利である。
【００７９】
（実施の形態７）
図１３は、実施形態７に係る加湿装置の概略斜視図を示している。本実施形態に係る加湿装置は、加湿装置１０７が室外に設置されている。図１３の構成では、通路１５に取り込まれた室内空気Ｄは、壁１０３に設けられた吸気口１０４経て、室外のケース１０７ａに至り、加湿部３を通過して湿潤化された後、排気口１０５を経て、室内に排気されることになる。一方、通路１２に取り込まれた室外空気Ａは、吸着部２を通過して乾燥された後、室外に排気されることになる。
【００８０】
ここで、図７の実施形態のように、加湿装置を室内に設置した構成では、吸着部分２を通過する通路１２は、側壁１０３の吸気口、排気口を通過させているので管径が細くなる。これに対して、本実施形態のように、加湿装置１０７を室外に設置した構成では、吸気口１０４、排気口１０５を通過しているのは加湿部分３を通過する通路１５である。このため、通路１５の管径が細くなる。このため、通路１５が通路１２に対して高圧となる。
【００８１】
本実施形態では、回転素子１に対して通路１５の上流側に送風機１３を設けるとともに、下流側にも送風機１４を設けている。このことにより、通路１２と通路１５の送風機間の負荷のバランスを調整し、通路１２と通路１５との間の圧力差を小さくし、通路１５から通路１２への漏れ空気量を減少させている。
【００８２】
（実施の形態８）
実施形態８は、図１３に示したような室外に加湿装置を設置した構成において、換気機能を付加した実施形態である。図１４は、本実施形態に係る加湿装置の主要部の構成を示しており、図１４（ａ）は送風機１３のみを運転した状態、図８（ｂ）は送風機１４のみを運転した状態を示している。これらの各図に示したように、通路１５の送風機１３と加湿部３との間に、ダンパ１８を設けている。
【００８３】
図１４（ａ）のように、送風機１３のみを運転した状態では、室内Ｒ２から通路１５に取り込まれた室内空気Ｄは、開口２２を経て室外Ｒ１に排気される。図１４（ｂ）のように、送風機１４のみを運転した状態では、室外Ｒ１から室外空気Ａが、開口２２を経て通路１５に取り込まれ、送風機１４を経て室内Ｒ２に給気される。図１４（ｂ）の構成では、温度の低い室外空気Ａをヒータ１７で加熱して室内Ｒ２に給気することができる。
【００８４】
図１５は、本実施形態の別の例に係る加湿装置の主要部の構成を示している。本図に示した構成は、送風機２３、送風機２４のそれぞれが正転及び逆転の両方可能である渦流送風機である。
【００８５】
図１５（ａ）は、送風機２３及び送風機２４は、室内Ｒ２から室内空気Ｄを通路１５に取り込むように、回転方向が設定されており、送風機２３は正転し、送風機２４は逆転している。この設定では、送風機２３、送風機２４の双方の送風作用によって、室内空気Ｄが室外Ｒ１に排気されることになる。
【００８６】
図１５（ｂ）は、送風機２３及び送風機２４は、室外Ｒ１から室外空気Ａを通路１５に取り込むように、回転方向が設定されており、送風機２３は逆転し、送風機２４は正転している。この設定では、送風機２３、送風機２４の双方の送風作用によって、室内空気Ａが室内Ｒ２に給気されることになる。また、温度の低い室外空気Ａをヒータ１７で加熱して室内Ｒ２に給気することができる。
【００８７】
このように図１５に示した構成では、送風機２３、送風機２４の双方によって、給排気を行うので、給排気換気能力の向上に有利である。
【００８８】
（実施の形態９）
図１６は、本実施形態に係る加湿装置の概略斜視図を示している。本実施形態は、図１０に示した実施形態５において、加湿装置を室外に配置した構成に相当する。加湿装置を室外に配置したことにより、図１３に示した実施形態と同様に、通路１５に送風機を複数設けており、供給通路１５ａに送風機１３を設けるとともに、排気通路１５ｂにも送風機１４を設けている。
【００８９】
本実施形態の基本作用は、実施形態５と同様であり、回転式素子１に熱回収部４を設け、これに対応するように供給通路１５ａ、中間通路１５ｂを配置しているので、吸着部２へは、熱回収部４において事前に冷却された部分が回転移動してくるので、吸着部２を通過する空気の水分の吸着能力を高めることができる。
【００９０】
また、通路１５の上流側と下流側の双方に送風機を設けているので、通路１５と通路１２との間の圧力差を小さくし、通路１５から通路１２への漏れ空気量の減少を図っている。このことにより、吸着部２と加湿部３との仕切り部分において、加湿部３から吸着部２への漏れ空気を減少できる。
【００９１】
（実施の形態１０）
実施形態１０は、実施形態９に係る加湿装置に換気機能を付加した実施形態である。図１７は、本実施形態に係る加湿装置の主要部の構成を示しており、図１７（ａ）は送風機１３のみを運転した状態、図１７（ｂ）は送風機１４のみを運転した状態を示している。通路１５の回転式素子１とヒータ１７との間に、ダンパ１８を設けている。
【００９２】
図１７（ａ）のように、送風機１３のみを運転した状態では、送風機１３によって室内Ｒ２から取り込まれた室内空気Ｄを、開口２２を通じ室外Ｒ１に排気できる。図１７（ｂ）のように送風機１４のみを運転することにより、開口２２より取り込まれた温度の低い室外空気Ａをヒータ１７により加熱し、加熱された高温空気を送風機１４によって室内Ｒ２に給気できる。
【００９３】
図１８は、本実施形態の別の例に係る加湿装置の主要部の構成を示している。本図に示した構成は、送風機２５、送風機２６は、正転及び逆転の両方可能である渦流送風機である。図１８（ａ）の状態は、送風機２５及び送風機２６は、室内Ｒ２から室内空気Ｄを通路１５に取り込むように、回転方向が設定されており、送風機２５は正転し、送風機２６は逆転している。この設定により、室内空気Ｄが開口２２を経て室外Ｒ１に排気されることになる。
【００９４】
図１８（ｂ）の状態は、送風機２５及び送風機２６の回転方向は、図１２（ａ）の状態と逆方向に設定されており、送風機２５は逆転し、送風機２６はは正転している。この設定により、送風機２５、送風機２６の双方を経て、室外空気Ａが室内Ｒ２に給気されることになる。この場合、室外空気Ａはヒータ１７通過時に過熱され、加熱された高温空気を室内Ｒ２に給気でき、冷たい室外空気Ａを室内Ｒ２に入れることを防止できる。
【００９５】
このように図１８に示した構成では、送風機２５、送風機２６の双方によって、給排気を行うので、給排気換気能力の向上に有利である。
【００９６】
なお、図１７、１８の構成において、ダンパ１８を熱回収部４と送風機２５との間に設けても同様の効果が得られる。
【００９７】
【発明の効果】
以上のように、本発明によれば、回転式素子の加湿部に対応する通路に、開閉手段と正転と逆転との切り換えができる送風手段を備えたことにより、新たな送風回路を追加することなく、容易に給気換気と排気換気との切り換えが可能になる。
【００９８】
また、加湿部に対応する通路及び吸着部に対応する通路のいずれかに、回転式素子に空気を供給する側、及び回転式素子を通過した空気を排気する側の双方に送風手段を設けたことにより、回転式素子上における吸着部と加湿部との間で圧力差による空気の漏れを減少でき、加湿効率の優れた加湿装置が得られる。
【図面の簡単な説明】
【図１】本発明の実施形態１に係る加湿装置の概略構成図
【図２】本発明の給気換気運転時における加湿装置の一実施形態に係る概略構成図
【図３】本発明の排気換気運転時における加湿装置の一実施形態に係る概略構成図
【図４】本発明の実施形態２に係る加湿装置の概略構成図
【図５】本発明の給気換気運転時における加湿装置の一実施形態に係る概略構成図
【図６】本発明の排気換気運転時における加湿装置の一実施形態に係る概略構成図
【図７】本発明の実施形態３に係る加湿装置の概略構成図
【図８】本発明の実施形態４に係る換気機能を有する加湿装置の概略構成図
【図９】本発明の実施形態４の別の例に係る加湿装置の概略構成図
【図１０】本発明の実施形態５に係る加湿装置の概略構成図
【図１１】本発明の実施形態６に係る換気機能を有する加湿装置の概略構成図
【図１２】本発明の実施形態６の別の例に係る加湿装置の概略構成図
【図１３】本発明の実施形態７に係る加湿装置の概略構成図
【図１４】本発明の実施形態８に係る換気機能を有する加湿装置の概略構成図
【図１５】本発明の実施形態８の別の例に係る加湿装置の概略構成図
【図１６】本発明の実施形態９に係る加湿装置の概略構成図
【図１７】本発明の実施形態１０に係る換気機能を有する加湿装置の概略構成図
【図１８】本発明の実施形態１０の別の例に係る加湿装置の概略構成図
【図１９】従来の加湿装置の一例の概略構成図
【符号の説明】
１　回転式素子
２　吸着部
３　加湿部
４　熱回収部
５，６，１２，１５　通路
６ａ，１５ａ　供給通路
６ｂ，１５ｂ　排気通路
６ｃ，１５ｃ　中間通路
７，８，１３，１４，１６，１８，１９，２０，２１，２３，２４，２５，２６　送風機
９，１７　ヒータ
１０，１８　ダンパ
１１，２２　開口
１００，１０２，１０６，１０７　加湿装置
【図１】
2004020058.tif 000003
【図２】
2004020058.tif 000004
【図３】
2004020058.tif 000005
【図４】
2004020058.tif 000006
【図５】
2004020058.tif 000007
【図６】
2004020058.tif 000008
【図７】
2004020058.tif 000009
【図８】
2004020058.tif 000010
【図９】
2004020058.tif 000011
【図１０】
2004020058.tif 000012
【図１１】
2004020058.tif 000013
【図１２】
2004020058.tif 000014
【図１３】
2004020058.tif 000015
【図１４】
2004020058.tif 000016
【図１５】
2004020058.tif 000017
【図１６】
2004020058.tif 000018
【図１７】
2004020058.tif 000019
【図１８】
2004020058.tif 000020
【図１９】
2004020058.tif 000021